(57)【要約】【課題】装着者の動きや着用する下着の形状によってフィット性が低下せず、生産性に優れており、尚かつ包装時の厚みが薄い生理用ナプキンを提供すること【解決手段】表面側に配置された透液性トップシート３と裏面側の最外面に配置されたバックシート２との間に、吸収体４が介在されてなる生理用ナプキン１において、吸収体４は、排血口と対応する排血口部分を有し、排血口部分の幅方向両側縁又はその近傍には、前後方向に沿って延在する第１の易山折線５１が形成されていると共に、バックシート２の外面における第１の易山折線５１に対応する部分の両側を、相互に接着するための第１の接着部７１が設けられている生理用ナプキン１とする。【選択図】図１
2010227286.tif 000002
【特許請求の範囲】
【請求項１】
表面側に配置された透液性トップシートと裏面側の最外面に配置されたバックシートとの間に、吸収体が介在されてなる生理用ナプキンにおいて、
吸収体は、排血口と対応する排血口部分を有し、
排血口部分の幅方向両側縁又はその近傍には、前後方向に沿って延在する第１の易山折線が形成されていると共に、
バックシートの外面における第１の易山折線に対応する部分の両側を、相互に接着するための第１の接着部が設けられている、
ことを特徴とする生理用ナプキン。
【請求項２】
吸収体は、排血口部分の後側に延出する臀裂部分を有し、
臀裂部分には、幅方向中央に沿って延在する第２の易山折線が形成されていると共に、
バックシートの外面におけるその第２の易山折線に対応する部分の両側を、相互に接着するための第２の接着部が設けられている、請求項１に記載の生理用ナプキン。
【請求項３】
吸収体は、臀裂部分の後側に延出する臀裂終端部分を有し、
臀裂終端部分には、その前端部の幅方向中央部を始端とし、幅方向中央線に関して線対称をなすように幅方向間隔が拡大しつつ後側に向かって延在する一対の第３の易山折線が形成されるか、又はその前端部から後側に離間した位置を始端とし、幅方向中央線に関して線対称をなすように所定の幅方向間隔を維持しつつ後側に向かって延在する一対の第３の易山折線が形成されるともに、
バックシートの外面における第３の易山折線に対応する部分の両側を、相互に接着するための第３の接着部が設けられている、請求項２に記載の生理用ナプキン。
【請求項４】
吸収体における、第１の易山折線の幅方向両側、第２の易山折線の幅方向両側、及び第３の易山折線の幅方向両側のうち少なくともどれかには、前後方向に沿って延在する易谷折線が形成されている、請求項３に記載の生理用ナプキン。
【請求項５】
第１の易山折線、第２の易山折線、及び第３の易山折線は、吸収体の表裏に貫通するスリット又は吸収体の裏面から表面に向かって凹むエンボス凹部から構成されており、
易谷折線は、吸収体の表面から裏面に向かって凹むエンボス凹部から構成されている、請求項４に記載の生理用ナプキン。
【請求項６】
バックシートの外面における第１の接着部、第２の接着部、及び第３の接着部の幅方向両側には、前後方向に沿って延在するズレ止め接着部が形成されている、請求項３〜請求項５のいずれか１項に記載の生理用ナプキン。
【請求項７】
第１の接着部、第２の接着部、第３の接着部及びズレ止め接着部のうち少なくとも第１の接着部、第２の接着部、及び第３の接着部と、ズレ止め接着部とは、それぞれ別個の剥離紙により被覆されているか、又は、相互別々に剥離可能である一体的な剥離紙によりそれぞれ被覆されている、請求項６に記載の生理用ナプキン。
【発明の詳細な説明】
【技術分野】
【０００１】
本発明は、生理用ナプキンに関するものである。
【背景技術】
【０００２】
生理用ナプキンの重要な機能として、体液の漏れ防止機能がある。従来より、体液の漏れを防止すべく、臀裂や排血口（膣口）へのフィット性を向上させる手段が、種々提案されている。その例として、下記特許文献１に示されるような、その幅方向両側から大腿部によって挟まれることで変形し、この変形によって臀裂、排血口、及びそれらの近傍にフィットするよう構成された生理用ナプキンがある。また、下記特許文献２に示されるような、表面側に隆起して臀裂の形状にフィットする部材が設けられた生理用ナプキンもある。この他には、下記特許文献３に示されるような、表面が立体形状を成して、排血口にフィットするよう構成された生理用ナプキンもある。
【先行技術文献】
【特許文献】
【０００３】
【特許文献１】特開２００４−２０８９１９号公報
【特許文献２】特開２００５−３３４２９６号公報
【特許文献３】特開２００１−２２４６２６号公報
【発明の概要】
【発明が解決しようとする課題】
【０００４】
しかし、上述したようなタイプの生理用ナプキンには、次のような問題点があった。大腿部に挟まれることで変形し、この変形によって臀裂及び排血口にフィットするタイプの生理用ナプキンは、装着者の動きや着用する下着の形状によってフィット性が低下してしまうおそれがある。この一方、表面が立体形状を成して、排血口にフィットするタイプの生理用ナプキンは、装着者の動きや着用する下着の形状によってフィット性が左右されないものの、包装時に厚みがでてしまうため、携帯性が良くない。
【０００５】
そこで、本発明の主たる課題は、装着者の動きや着用する下着の形状によってフィット性が低下せず、尚かつ包装時の厚みが薄い生理用ナプキンを提供することにある。
【課題を解決するための手段】
【０００６】
次に、上記課題を解決するための手段とそれらの作用効果を示す。なお、以下で言う山折とは、本発明に係る生理用ナプキンの表面側から見た際に、折り目の線が外側になるよう折ることを意味し、この一方、谷折とは、本発明に係る生理用ナプキンの表面側から見た際に、折り目の線が内側になるよう折ることを意味する。また、以下で言う易山折線とは、易山折線が設けられていない部分と比して山折し易い部分を意味し、易谷折線とは、易谷折線が設けられていない部分と比して谷折し易い部分を意味する。
【０００７】
〔請求項１に係る発明〕
表面側に配置された透液性トップシートと裏面側の最外面に配置されたバックシートとの間に、吸収体が介在されてなる生理用ナプキンにおいて、
吸収体は、排血口と対応する排血口部分を有し、
排血口部分の幅方向両側縁又はその近傍には、前後方向に沿って延在する第１の易山折線が形成されていると共に、
バックシートの外面における第１の易山折線に対応する部分の両側を、相互に接着するための第１の接着部が設けられている、
ことを特徴とする生理用ナプキン。
【０００８】
（作用効果）
本請求項に係る発明では、排血口部分の幅方向両側縁又はその近傍には、前後方向に沿って第１の易山折線が形成されている。このように構成されていることによって、使用時に吸収体を第１の易山折線で山折することで、第１の易山折線間に位置する部分を周囲に対して表面側に隆起させて、装着者の排血口にフィットさせることができる。
【０００９】
これと共に、本請求項に係る発明では、バックシートの外面に、その第１の易山折線に対応する部分の両側を、相互に接着する第１の接着部が設けられている。このように構成されていることによって、吸収体を第１の易山折線で山折した後に、バックシートの外面における第１の易山折線に対応する部分の両側を、第１の接着部で相互に接着することによって、吸収体を第１の易山折線で山折した状態を維持することができるようになっている。このため、装着者の動きによって、排血口部分の隆起が生じたり無くなったりすることがなく、装着者の動きや着用する下着の形状によってフィット性が低下してしまうことがない。
【００１０】
また、本請求項に係る発明では、使用時に排血口部分を表面側に隆起させることができるようになっているため、非使用時においては、排血口部分を表面側に隆起させる必要がないため、包装時の厚みを薄くすることができる。
【００１１】
〔請求項２に係る発明〕
吸収体は、排血口部分の後側に延出する臀裂部分を有し、
臀裂部分には、幅方向中央に沿って延在する第２の易山折線が形成されていると共に、
バックシートの外面におけるその第２の易山折線に対応する部分の両側を、相互に接着するための第２の接着部が設けられている、請求項１に記載の生理用ナプキン。
【００１２】
（作用効果）
本請求項に係る発明では、臀裂部分には、前後方向に沿って第２の易山折線が形成されており、このように構成されていることによって、臀裂部分の幅方向中央を表面側に山状に隆起させて、装着者の臀裂にフィットさせることができる。
【００１３】
これと共に、本請求項に係る発明では、バックシートの外面に、その第２の易山折線に対応する部分の両側を、相互に接着するための第２の接着部が設けられている。このように構成されていることによって、吸収体を第２の易山折線で山折した後に、バックシートの外面における第２の易山折線に対応する部分の両側を、第２の接着部で相互に接着することによって、吸収体を第２の易山折線で山折した状態を維持することができるようになっている。このため、装着者の動きによって、臀裂部分の幅方向中央の隆起が生じたり無くなったりすることがなく、装着者の動きや着用する下着の形状によってフィット性が低下してしまうことがない。
【００１４】
また、本請求項に係る発明では、使用時に臀裂部分の幅方向中央を表面側に隆起させることができるようになっているため、非使用時においては、臀裂部分の幅方向中央を表面側に隆起させる必要がないため、包装時の厚みを薄くすることができる。
【００１５】
〔請求項３に係る発明〕
吸収体は、臀裂部分の後側に延出する臀裂終端部分を有し、
臀裂終端部分には、その前端部の幅方向中央部を始端とし、幅方向中央線に関して線対称をなすように幅方向間隔が拡大しつつ後側に向かって延在する一対の第３の易山折線が形成されるか、又はその前端部から後側に離間した位置を始端とし、幅方向中央線に関して線対称をなすように所定の幅方向間隔を維持しつつ後側に向かって延在する一対の第３の易山折線が形成されるともに、
バックシートの外面における第３の易山折線に対応する部分の両側を、相互に接着するための第３の接着部が設けられている、請求項２に記載の生理用ナプキン。
【００１６】
（作用効果）
この場合、吸収体を第３の易山折線で山折した状態で、バックシートの外面における第３の易山折線に対応する部分の両側を、第３の接着部で相互に接着することによって、吸収体における臀裂終端部分の幅方向中央部を、装着者の臀裂終端部分（尾骨から仙骨下端部にかけての部分）にフィットするように身体側に隆起させて固定できるようになる。そして、この場合においても、前述の他の部位と同様に、装着者の動きによって、臀裂終端部分の隆起が生じたり無くなったりすることがなく、装着者の動きや着用する下着の形状によってフィット性が低下してしまうことがないといった利点や、使用時に臀裂終端部分を表面側に隆起させることができるようになっているため、非使用時においては、臀裂終端部分を表面側に隆起させる必要がないため、包装時の厚みを薄くすることができるといった利点がもたらされる。
【００１７】
〔請求項４に係る発明〕
吸収体における、第１の易山折線の幅方向両側、第２の易山折線の幅方向両側、及び第３の易山折線の幅方向両側のうち少なくともどれかには、前後方向に沿って延在する易谷折線が形成されている、請求項３に記載の生理用ナプキン。
【００１８】
（作用効果）
本請求項に係る発明では、第１の易山折線と第２の易山折線と第３の易山折線との両側には、前後方向に沿って延在する易谷折線が形成されている。このように構成されていることによって、使用時に吸収体を易谷折線で谷折することで、第１の易山折線、第２の易山折線、及び第３の易山折線で山折した際に隆起する部分が、隆起しやすくなる。
【００１９】
〔請求項５に係る発明〕
第１の易山折線、第２の易山折線、及び第３の易山折線は、吸収体の表裏に貫通するスリット又は吸収体の裏面から表面に向かって凹むエンボス凹部から構成されており、
易谷折線は、吸収体の表面から裏面に向かって凹むエンボス凹部から構成されている、請求項４に記載の生理用ナプキン。
【００２０】
（作用効果）
第１の易山折線、第２の易山折線、第３の易山折線、及び易谷折線が、本請求項に係る発明のように構成されていると、それぞれ山折又は谷折し易くなる。
【００２１】
〔請求項６に係る発明〕
バックシートの外面における第１の接着部、第２の接着部、及び第３の接着部の幅方向両側には、前後方向に沿って延在するズレ止め接着部が形成されている、請求項３〜請求項５のいずれか１項に記載の生理用ナプキン。
【００２２】
（作用効果）
生理用ナプキンにおいては、外面にズレ止めを設けることが一般的であるが、本請求項に係る発明では、前述の接着部によって、バックシート外面の幅方向中間部にしわが形成されるため、この部分にズレ止めを設けるとズレ止め効果が不十分になるおそれがある。そこで、本請求項に係る発明では、第１の接着部、第２の接着部、及び第３の接着部の幅方向両側に、前後方向に沿ってズレ止め接着部を前後方向に沿って形成することによって、ズレ止め接着部が他の接着部と干渉してしまうことがないようになっている。このため、ズレ止め接着部のズレ止め効果が不十分になるおそれがない。
【００２３】
〔請求項７に係る発明〕
第１の接着部、第２の接着部、第３の接着部及びズレ止め接着部のうち少なくとも第１の接着部、第２の接着部、及び第３の接着部と、ズレ止め接着部とは、それぞれ別個の剥離紙により被覆されているか、又は、相互別々に剥離可能である一体的な剥離紙によりそれぞれ被覆されている、請求項６に記載の生理用ナプキン。
【００２４】
（作用効果）
本請求項に係る発明では、第１の接着部、第２の接着部、第３の接着部及びズレ止め接着部のうち少なくとも第１の接着部、第２の接着部、及び第３の接着部と、ズレ止め接着部とは、それぞれ別個の剥離紙により被覆されているか、又は、相互別々に剥離可能である一体的な剥離紙によりそれぞれ被覆されている。このように構成されていることによって、第１の接着部、第２の接着部、及び第３の接着部を使用する際に、剥離紙におけるこれらの接着部を被覆する部分のみ剥がし、ズレ止め接着部を被覆したままの状態とすることができる。このため、第１の接着部、第２の接着部、及び第３の接着部を使用する際に、ズレ止め接着部が意図せぬ場所に接着したりして、作業を阻害してしまうことを防止することができる。
【発明の効果】
【００２５】
以上に示したように、本発明によれば、装着者の動きや着用する下着の形状によってフィット性が低下せず、生産性に優れており、尚かつ包装時の厚みが薄い生理用ナプキンを提供することができる。
【図面の簡単な説明】
【００２６】
【図１】本発明に係る生理用ナプキンの第１実施形態を示す平面図である。
【図２】第１実施形態に係る生理用ナプキンを示す底面図である。
【図３】図１中のＸ−Ｘ矢視に対応し、サイド不織布を省略した状態を示す断面拡大図である。
【図４】図１中のＹ−Ｙ矢視に対応し、サイド不織布を省略した状態を示す断面拡大図である。
【図５】図１中のＺ−Ｚ矢視に対応し、サイド不織布を省略した状態を示す断面拡大図である。
【図６】第１実施形態に係る生理用ナプキンの使用状態における、図１中のＸ−Ｘ矢視に対応する断面拡大図である。
【図７】第１実施形態に係る生理用ナプキンの使用状態における、図１中のＹ−Ｙ矢視に対応する断面拡大図である。
【図８】第１実施形態に係る生理用ナプキンの使用状態における、図１中のＺ−Ｚ矢視に対応する断面拡大図である。
【図９】本発明に係る生理用ナプキンのその第２実施形態を示す平面図である。
【図１０】本発明に係る生理用ナプキンのその他実施形態を示す断面拡大図であり、図１中のＸ−Ｘに対応する。
【発明を実施するための形態】
【００２７】
次に、本発明の実施形態を、添付図面を参照しつつ説明する。
〔第１実施形態〕
図１〜図８は、本実施形態に係る生理用ナプキン１を示している。この生理用ナプキンは、図１〜図５に示すように、ポリエチレンシートなどからなる不透液性のバックシート２と、肌当接面をなし、経血やおりものなどを速やかに透過させる透液性トップシート３と、これら両シート２，３間に介装された綿状パルプまたは合成パルプなどからなる吸収体４と、吸収体４の略側縁部を起立基端とし、かつ少なくとも体液排出部を含むように前後方向に所定の区間内において表面側に突出して設けられた左右一対の立体ギャザーＢＳ、ＢＳとから主に構成されている。
【００２８】
そして、吸収体４の周囲における上下端縁部では、バックシート２と透液性トップシート３との外縁部が、ホットメルトなどの接着剤やヒートシール等の接着手段によって接合されている。この一方、吸収体４の周囲における両側縁部では、吸収体４よりも側方に延出しているバックシート２と、立体ギャザーＢＳを形成しているサイド不織布７とが、ホットメルトなどの接着剤やヒートシール等の接着手段によって接合され、これらバックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２９】
バックシート２としては、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。バックシート２としては、プラスチックフィルムと不織布とを積層させたポリラミ不織布を用いてもよい。
【００３０】
透液性トップシート３としては、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート３に多数の透孔を形成した場合には、経血やおりもの等が速やかに吸収されるようになり、ドライタッチ性に優れたものとなる。
【００３１】
吸収体４としては、体液を吸収・保持し得るものであれば良い。吸収体４を構成する素材としては、パルプ等の天然繊維の他、合成繊維を用いることもでき、または体液の吸収量を増やすために、吸水性ポリマーを用いたり、これらを適宜併用できる。合成繊維としては、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができ、これら２種を混合したものであってもよい。また、融点の高い繊維を芯とし融点の低い繊維を鞘とした芯鞘型繊維やサイドバイサイド型繊維、分割型繊維などの複合繊維も用いることができる。吸収体４中に混合される合成繊維は、体液に対する親和性を有するように、疎水性繊維の場合には親水化剤によって表面処理したものを用いるのが望ましい。なお、通常は、フラッフ状パルプ中に吸水性ポリマー粉末を混入したものが吸収機能および価格の点から好適に使用される。
【００３２】
吸収体４は形状及びポリマー粉末保持等のためにクレープ紙等の包装シート４Ｌによって囲繞するのが望ましい。なお、本実施形態に係る生理用ナプキン１においては、吸収体４は、バックシート２に対してホットメルトなどの接着剤やヒートシール等の接着手段によって接合されており、吸収体４が包装シート４Ｌで囲繞される場合は、バックシート２と吸収体４とは、包装シート４Ｌを介して間接的に接合される。
【００３３】
図示例では、透液性トップシート３は吸収体４の幅よりも若干幅が広い程度とされ、吸収体４を覆うだけに止まり、透液性トップシート３の幅方向外側は、透液性トップシート３の両側部表面から延在するサイド不織布７（透液性トップシートとは別の部材）により覆われている。サイド不織布７の幅方向中央側の部分は、立体ギャザーＢＳを形成している。
【００３４】
サイド不織布７としては、経血やおりもの等が浸透するのを防止する、あるいは肌触り感を高めるなどの目的に応じて、適宜の撥水処理または親水処理を施した不織布素材を用いることができる。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ2として作製された不織布を用いるのが望ましく、かつ体液の透過を確実に防止するためにシリコン系や、パラフィン系等の撥水剤などをコーティングした撥水処理不織布が好適に使用される。
【００３５】
サイド不織布７は、図３〜図５に示されるように、幅方向中間部より外側部分を吸収体４の内側位置から吸収体側縁を若干越えてバックシート２の外縁までの範囲に亘ってホットメルトなどの接着剤によって接着し、これらサイド不織布７とバックシート２との積層シート部分により、ほぼ排血口に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗは、ショーツに対する装着時に、基端縁で折り返し、ショーツのクロッチ部分に巻き付けるようになっている。この一方、第２ウイング状フラップＷＢ、ＷＢは、ショーツに対する装着時に、基端縁で折り返し、ショーツのクロッチ部分に巻き付けないようになっている。
【００３６】
一方、サイド不織布７の内方側部分はほぼ二重に折り返されるとともに、この二重シート内部に、その高さ方向中間部に両端または長手方向の適宜の位置を固定された糸状弾性伸縮部材１９が配設されるとともに、糸状弾性伸縮部材１９の上側部位に複数本の、図示例では２本の糸状弾性伸縮部材２０，２０が両端または長手方向の適宜の位置を固定された状態で配設されている。この二重シート部分は前後端部では図３及び図４に示されるように、断面Ｚ状に折り畳んで積層された状態で吸収体４側に接着されることによって、糸状弾性伸縮部材１９配設部位を屈曲点として、断面くの字状に内側に開口を向けたポケットを形成しながら表面側に起立する立体ギャザーＢＳ、ＢＳが形成されている。
【００３７】
図１に示すように、吸収体４は、前後方向において、本生理用ナプキン１の装着時に排血口に対応する排血口部分と、本生理用ナプキン１の装着時に臀裂に対応し、排血口部分の後側に延出する臀裂部分と、本生理用ナプキン１の装着時に臀裂終端部分に対応し、臀裂部分の後側に延出する臀裂終端部分に区画される。
【００３８】
排血口部分、臀裂部分、及び臀裂終端部分の具体的な位置を述べると、本生理用ナプキン１の前端から排血口部分の前端までの距離をＡ、排血口部分の前後方向長さをＢ、臀裂部分の前後方向長さをＣ、臀裂終端部分の前後方向長さをＤ、臀裂終端部分の後端から本生理用ナプキン１の後端またでの長さをＥとした場合、Ａ：Ｂ：Ｃ：Ｄ：Ｅの比率は、１：２．２：２．４：０．９：０．７となる。
【００３９】
この一方、本生理用ナプキン１とは異なり、前後方向長さが短いタイプの生理用ナプキンにおいては、排血口部分は、生理用ナプキンの前後方向ほぼ中間部に位置する。この場合、排血口部分の前後方向長さは、生理用ナプキンの前後方向長さに対して１／４〜１／２とされる。
【００４０】
図１〜図３に示すように、吸収体４における排血口部分には、前後方向に沿って延在する一対の第１の易山折線５１が形成されている。これらの第１の易山折線５１は、排血口部分の幅方向両側縁か、それよりも若干内側に配置されており、相互に３〜５ｃｍ程度離間している。また、一対の第１の易山折線５１は、前後方向長さを相互同一とされている。
【００４１】
吸収体４における臀裂部分には、吸収体４の幅方向中央に沿って延在する第２の易山折線５２が形成されている。この第２の易山折線５２の前端は、臀裂部分の前端よりも若干後側に位置しており、具体的には、臀裂部分の前端から１〜２ｃｍ後側に位置している。
【００４２】
吸収体４における臀裂終端部分には、前後方向に沿って延在する一対の第３の易山折線５３が形成されている。これらの第３の易山折線５３は、臀裂終端部分の幅方向両側か、それよりも若干内側に配置されており、相互に２〜３ｃｍ程度離間している。また、一対の第３の易山折線５３は、前後方向長さを相互同一とされている。
【００４３】
上述した第１の易山折線５１、第２の易山折線５２、及び第３の易山折線５３は、図３〜図５に示すように、全て吸収体４の表裏に貫通するスリットから形成されており、折り曲げやすくなっている。
【００４４】
図２〜図５に示すように、バックシート２の外面における第１の易山折線５１、第２の易山折線５２、及び第３の易山折線５３に対応する部分には、それぞれ、一対の第１の接着部７１、第２の接着部７２、一対の第３の接着部７３が設けられている。これらの接着部７１〜７３はそれぞれ矩形状をなしており、これら接着部７１〜７３の幅方向中央が、易山折線５１〜５３と重複するようにして配置されている。また、バックシート２の外面における第１の接着部７１〜７３の幅方向両側には、前後方向に沿って延在する矩形状のズレ止め接着部７４が設けられている。このズレ止め接着部７４は、排血口部分の前端近傍から臀裂終端部分の後端近傍に亘って延在している。なお、第１の接着部７１、第２の接着部７２、及び第３の接着部７３は、それらの幅方向両側縁のどちらか一方が、易山折線５１〜５３と重複するようにして配置されていても良い。
【００４５】
これらの接着部７１〜７４は、接着剤を塗布することで構成される。接着部７１〜７４に用いられる接着剤としては、永久接着剤、感圧接着剤などを用いることができ、その中でも特に、何度も貼り直しできるよう貼り直し可能な感圧接着剤を用いることが好ましい。接着部７１〜７４が貼り直し可能な感圧接着剤から構成されていると、後述する易山折線間５１〜５３を山折することによって生じる隆起の高さを、何度も調整し直すことができる。
【００４６】
図２に示すように、バックシート２の外面には、上述した接着部７１〜７４を被覆する剥離紙８０が設置されている。この剥離紙８０は、幅方向において、第１の接着部７１を覆う一対の第１部分８３、第２の接着部７２を覆う第２部分８１、第３の接着部７３を覆う一対の第３部分８２、ズレ止め接着部７４を覆う第４部分８４とにスリット又はミシン目で分けられ、これらは全て相互に分離可能とされている。このように構成されていることによって、接着部７１〜７３を使用する際に、剥離紙８０におけるこれらの接着部７１〜７３を被覆する部分のみ剥がし、ズレ止め接着部７４を被覆したままの状態とすることができる。このため、接着部７１〜７３を使用する際に、ズレ止め接着部７４が意図せぬ場所に接着したりして、作業を阻害してしまうことを防止することができるようになっている。
【００４７】
また、剥離紙８０の前側は、前側に向かって尖るような形状を成しており、この一方、剥離紙８０の後側は、前側に向かって凹むような形状を成している。このことによって、剥離紙８０を第１部分８３から第４部分８４の順で剥がすということを、使用者に対して容易に認識させることが可能となる。
【００４８】
なお、剥離紙８０における第１部分８３、第２部分８１、第３部分８２のいずれか一つを、製品の包装袋と接着しても良い。このように構成されていると、本実施形態に係る生理用ナプキン１を包装袋から取出した際に、剥離紙８０における包装袋と接着された部分が剥がれるため、剥がす手間が省ける。剥離紙８０における包装袋と接着される部分は、第１部分８３、第２部分８１、第３部分８２のいずれでも良いが、その中でも、剥離紙８０の中央に位置する第２部分８１が接着されていると、剥離紙８０の中央部分（第２部分８１）から外側部分（第４部分８４）に向かって順次剥がし、最も外側に位置する第４部分８４を最後に剥がすことを使用者に対して促すことができる。
【００４９】
本生理用ナプキン１においては、詳細には図３〜図５に示されるように、吸収体４の使用面側には細長く、かつ周方向に閉じた環状の易谷折線であるエンボス凹部８が形成されている。このエンボス凹部８は、第１の易山折線５１、第２の易山折線５２、及び第３の易山折線５３を一纏めに囲んでおり、エンボス凹部８の成す環は、臀裂部分において幅方向が若干細くなっている。また、エンボス凹部８は、透液性トップシート３の表面から吸収体４内まで食い込むように形成されている。
【００５０】
次に、本実施形態に係る生理用ナプキン１の使用方法の例を説明する。なお、以下に示す使用方法では、工程の順番は特に限定されない。
剥離紙８０における第１部分８３をバックシート２から剥がし、第１の接着部７１を露出させる。第１の接着部７１を露出させたら、図６に示すように、第１の易山折線５１で吸収体４を折り曲げ、第１の易山折線間５１に位置する部分を周囲に対して表面側に隆起させる。そして、これと共に、バックシート２における第１の易山折線５１の両側を、第１の接着部７１で接着して山折状態を維持する。
剥離紙８０における第２部分８１をバックシート２から剥がし、第２の接着部７２を露出させる。第２の接着部７２を露出させたら、図７に示すように、第２の易山折線５２で吸収体４を折り曲げ、臀裂部分の幅方向中央を表面側に山状に隆起させる。そして、これと共に、バックシート２における第２の易山折線５２の両側を、第２の接着部７２で接着して山折状態を維持する。
剥離紙８０における第３部分８２をバックシート２から剥がし、第３の接着部７３を露出させる。第３の接着部７３を露出させたら、図８に示すように、第３の易山折線５３で吸収体４を折り曲げ、臀裂終端部分の幅方向中央部を、隆起させる。そして、これと共に、バックシート２における第３の易山折線５３の両側を、第３の接着部７３で接着して山折状態を維持する。
剥離紙８０における第４部分８４をバックシート２から剥がし、ズレ止め接着部７４を露出させ、ショーツに対して接着する。
【００５１】
このとき、吸収体４における一対の第１の易山折線５１の後端と第２の易山折線５２と前端とを結ぶ直線部分において、第１の易山折線間５１に位置する部分及び第２の易山折線５２に対応する部分の隆起に伴って、吸収体４の表面側が隆起するようになっている。また、吸収体４における第２の易山折線５２と後端と一対の第３の易山折線５３の前端とを結ぶ直線部分において、第２の易山折線５２に対応する部分及び第３の易山折線間５３に位置する部分の隆起に伴って、吸収体４の表面側が隆起するようになっている。
【００５２】
次に、本実施形態に係る生理用ナプキン１の作用効果を説明する。
本実施形態に係る生理用ナプキン１では、排血口部分の幅方向両側縁か、それよりも若干内側には、前後方向に沿って第１の易山折線５１が形成されている。このように構成されていることによって、使用時に吸収体４を第１の易山折線５１で山折することで、吸収体４における第１の易山折線５１間に位置する部分を周囲に対して表面側に隆起させて、装着者の排血口にフィットさせることができる。
【００５３】
これと共に、本実施形態に係る生理用ナプキン１では、バックシート２の外面に、その第１の易山折線５１に対応する部分の両側を、相互に接着する第１の接着部７１が設けられている。このように構成されていることによって、吸収体４を第１の易山折線５１で山折した後に、バックシート２の外面における第１の易山折線７１に対応する部分の両側を、第１の接着部５１で相互に接着することによって、吸収体４を第１の易山折線５１で山折した状態を維持することができるようになっている。このため、装着者の動きによって、排血口部分の隆起が生じたり無くなったりすることがなく、装着者の動きや着用する下着の形状によってフィット性が低下してしまうことがない。
【００５４】
本実施形態に係る生理用ナプキン１では、臀裂部分には、前後方向に沿って第２の易山折線５２が形成されており、このように構成されていることによって、臀裂部分の幅方向中央を表面側に山状に隆起させて、装着者の臀裂にフィットさせることができる。
【００５５】
これと共に、本実施形態に係る生理用ナプキン１では、バックシート２の外面に、その第２の易山折線５２に対応する部分の両側を、相互に接着するための第２の接着部７２が設けられている。このように構成されていることによって、吸収体４を第２の易山折線５２で山折した後に、バックシート２の外面における第２の易山折線５２に対応する部分の両側を、第２の接着部７２で相互に接着することによって、吸収体４を第２の易山折線５２で山折した状態を維持することができるようになっている。このため、装着者の動きによって、臀裂部分の幅方向中央の隆起が生じたり無くなったりすることがなく、装着者の動きや着用する下着の形状によってフィット性が低下してしまうことがない。
【００５６】
本実施形態に係る生理用ナプキン１では、吸収体４を第３の易山折線５３で山折した状態で、バックシート２の外面における第３の易山折線５３に対応する部分の両側を、第３の接着部７３で相互に接着することによって、吸収体４における臀裂終端部分の幅方向中央部を、装着者の臀裂終端部分（尾骨から仙骨下端部にかけての部分）にフィットするように身体側に隆起させて固定できるようになる。そして、この場合においても、前述の他の部位と同様に、装着者の動きによって、臀裂終端部分の隆起が生じたり無くなったりすることがなく、装着者の動きや着用する下着の形状によってフィット性が低下してしまうことがない。
【００５７】
また、本実施形態に係る生理用ナプキン１では、非使用時においては、易山折線５１〜５３を山折することによって吸収体４を表面側に隆起させる必要がないため、包装時の厚みを薄くすることができるといった利点がもたらされる。
【００５８】
本実施形態に係る生理用ナプキン１では、吸収体４の使用面側に細長く、かつ周方向に閉じた環状の易谷折線であるエンボス凹部８が形成されている。このように構成されていることによって、使用時に吸収体４を易谷折線で谷折することで、第１の易山折線５１、第２の易山折線５２、及び第３の易山折線５３で山折した際に隆起する部分が、隆起しやすくなる。また、本実施形態に係る生理用ナプキン１では、エンボス凹部８が周方向に閉じた環状に形成されているため、吸収体４におけるエンボス凹部８の内側部分で吸収しきれなかった体液を、エンボス凹部８で堰き止めることができる。さらに、本実施形態に係る生理用ナプキン１では、エンボス凹部８の成す環が、臀裂部分において幅方向が若干細くなっているため、第３の易山折線５３を折り曲げて臀裂部分の幅方向中央を表面側に山状に隆起させる際に、山状の隆起部分の先端がより鋭角になるため、臀裂に対して好適にフィットする。
【００５９】
エンボス凹部８は、環状ではなく易山折線５１〜５３の両側において前後方向に沿って延在する直線状とすることも可能であるが、吸収体４の前後で上述した堰とめ効果を得られなくなってしまうため、環状とすることが好ましい。
【００６０】
本実施形態に係る生理用ナプキン１では、バックシート２の外面における第１の接着部７１〜７３の幅方向両側には、前後方向に沿って延在する矩形状のズレ止め接着部７４が設けられている。このように構成されていることによって、ズレ止め接着部７４が他の接着部７１〜７３と干渉してしまうことがなく、ズレ止め接着部７４のズレ止め効果が不十分になるおそれがない。
【００６１】
〔第２実施形態〕
次に、本発明に係る生理用ナプキンの第２実施形態を説明する。
図７に示すように、本実施形態に係る生理用ナプキン２では、一対の第１の易山折線５１の前端同士は、一対の第１の易山折線５１の前端同士を結ぶ第４の易山折線５４が設けられていることによって、一続きの易山折線となっている。第４の易山折線５４は、前側から後側に向かって裾広がりであるＶの字状に形成されており、その後端が一対の第１の易山折線５１の前端と接続されている。
【００６２】
一対の第１の易山折線５１の後端と第２の易山折線５２の前端とは、これらを結ぶ第５の易山折線５５が設けられていることによって、一続きの易山折線となっている。第５の易山折線５５は、後側から前側に向かって裾広がりであるＶの字状に形成されており、その前端が一対の第１の易山折線５１の後端と、後端が第２の易山折線５２前端とそれぞれ接続されている。
【００６３】
第２の易山折線５２の後端と一対の第３の易山折線５３の前端とは、接続されており、一対の第３の易山折線５３が、前側から後側に向かって裾広がりであるＶの字状を成している。
【００６４】
バックシート２の外面における第４の易山折線５４及び第５の易山折線５５に対応する部分には、それぞれ第４の接着部７４及び第５の接着部７５が設けられている。これらの接着部７４，７５は、接着部７１〜７３と同様に、第４の易山折線５４及び第５の易山折線５５の両側に亘って形成されている。
【００６５】
本実施形態に係る生理用ナプキン２では、剥離紙８０の第１〜４部分が、それぞれ矩形状を成すようにして形成されているものの、第１実施形態に係る生理用ナプキン１と同様に、幅方向両側よりも幅方向中央側に位置する部分の方が前側にずれている。
【００６６】
次に、本実施形態に係る生理用ナプキン２の作用効果を説明する。
本実施形態に係る生理用ナプキン２では、第４の易山折線５４及び第５の易山折線５５が形成されており、且つ、第２の易山折線５２の後端と一対の第３の易山折線５３の前端とが接続されていることによって、第１の易山折線５１と第２の易山折線５２と第３の易山折線５３とが一続きになっている。このため、易山折線５１〜５５を山折する際に、全ての易山折線５１〜５５が連動するため、変形させやすくなる。
【００６７】
〔他の実施形態〕
次に、本発明に係る生理用ナプキンの他の実施形態を説明する。
易山折線５１〜５５は、図８に示すように、スリットではなく、吸収体の裏面から表面側に食いこむように形成されたエンボス凹部から構成されていても良い。この場合、易山折線５１〜５５を通って体液がバックシート２側に漏れてしまうことがない。
【００６８】
バックシート２の外面における易山折線５１〜５３と対応する部分に、易山折線５１〜５３の位置が一目でわかるように印刷を施しておくこともでき、印刷にあたっては、色つきのホットメルト接着剤を使用しても良い。
【００６９】
その他には、第１の易山折線５１、第２の易山折線５２、及び第３の易山折線５３のうち、どれか一つだけ、或いは任意の二つだけ形成されている形態も提示することができる。このような形態では、易山折線が形成された箇所でのみ、上述した効果を得ることができる。
【産業上の利用可能性】
【００７０】
本発明は、生理用ナプキンとして利用可能である。
【符号の説明】
【００７１】
１・・・生理用ナプキン
２・・・バックシート
３・・・透液性トップシート
４・・・吸収体
８・・・エンボス凹部（易谷折線）
５１・・・第１の易山折線
５２・・・第２の易山折線
５３・・・第３の易山折線
７１・・・第１の接着部
７２・・・第２の接着部
７３・・・第３の接着部
７４・・・ズレ止め接着部
８０・・・剥離紙
【図１】
2010227286.tif 000003
【図２】
2010227286.tif 000004
【図３】
2010227286.tif 000005
【図４】
2010227286.tif 000006
【図５】
2010227286.tif 000007
【図６】
2010227286.tif 000008
【図７】
2010227286.tif 000009
【図８】
2010227286.tif 000010
【図９】
2010227286.tif 000011
【図１０】
2010227286.tif 000012